(57)【特許請求の範囲】
【請求項１】
ステージ上面で一方向に標本を摺動可能に移動させるとともに、前記摺動方向と直交する方向に前記標本を位置決めするクレンメルを有する顕微鏡ステージにおいて、
前記ステージ上面に観察光軸に対応して形成された穴部と、
前記穴部を横切り前記標本の摺動方向に沿って形成された標本載置部と  を具備し、
前記標本載置部は、前記標本が前記クレンメルに位置決めされた状態で、前記摺動方向に対して直交する方向の前記標本の両端部を保持する、前記ステージ上面と同一高さを有する面と、前記標本の両端部を保持する面の間に前記標本の摺動方向に沿って形成された前記標本の幅寸法より小さな幅寸法を有する溝部とを備えたことを特徴とする顕微鏡ステージ。
【請求項２】
前記標本載置部は、前記摺動方向と直交する方向に、並列して２つ設けられることを特徴とする請求項１記載の顕微鏡ステージ。
【請求項３】
前記溝部が横切る前記穴部の周縁に沿って前記上ステージの上面と面一の高さを有する周壁を形成したことを特徴とする請求項１または２記載の顕微鏡ステージ。
【発明の詳細な説明】
【０００１】
【発明の属する技術分野】
本発明は、ステージ上面を標本や標本保持具が摺動移動される顕微鏡ステージに関するものである。
【０００２】
【従来の技術】
従来、顕微鏡に用いられる顕微鏡ステージとして、図４に示すように顕微鏡本体に取付けられる下ステージ１の両側面にボールやコロなどを用いたガイド機構を介してＹ方向に直線往復移動可能に上ステージ２が設けられ、この上ステージ２に、下ステージ１との相対的移動方向が９０度になるようＸ方向にガイド部材（図示せず）が設けられ、このガイド部材とともに上ステージ２に対して移動可能にクレンメル４を固定保持したクレンメル保持部材３が配置されたものが知られている。この場合、上ステージ２には、下ステージ１およびガイド部材に対してラックアンドピニオンやワイヤーロープなどの伝達機構を介してＸハンドル６とＹハンドル７を有するＸＹハンドル５が設けられ、Ｘハンドル６を回転操作することにより、上ステージ２に対してガイド部材がクレンメル保持部材３とともにＸ方向に移動し、Ｙハンドル７を回転操作することにより、下ステージ１に対して上ステージ２がＹ方向に移動するようにしている。
【０００３】
このような顕微鏡ステージでは、上ステージ２の上面に標本、ここでは標本保持具のスライドガラスに標本を保持させたスライドガラス標本８が載置され、この状態で、スライドガラス標本８は、クレンメル保持部材３に固定保持されたクレンメル４により挟持されている。そして、標本観察にともなうステージ移動において、Ｙ方向に移動するときは、下ステージ１に対してクレンメル４とともに上ステージ２全体をＹ方向に移動させ、また、Ｘ方向に移動するときは、上ステージ２に対してガイド部材とともにクレンメル保持部材３をＸ方向に移動させ、クレンメル４により挟持されたスライドガラス標本８を上ステージ２上面を摺動させつつ、Ｘ方向に移動させ、これらＸＹ方向の動きにより、顕微鏡本体に対するＸＹ平面内でのスライドガラス標本８の位置決めを行うようになっている。
【０００４】
ところで、このようなステージの基本性能の一つに、標本上の狙った位置を顕微鏡本体側で正確に観察できるように、スライドガラス標本８の位置決めを精度よくできることが重要である。このため、スライドガラス標本８を移動させる際に、その移動をスムーズにできることが重要であり、これにともないガイド機構、伝達機構およびＸＹハンドル５の操作機構などについては様々な方法が考えられ、スムーズな動きが実現されている。
【０００５】
一方、スライドガラス標本８が載置される上ステージ２上面は、精度のよい平面になっており、また、検鏡法によっては、スライドガラス標本８と顕微鏡本体側の対物レンズとの間にオイルなどの液体を充填させて試料観察の精度を高めるようにすることがある。
【０００６】
この場合、検鏡中にスライドガラス標本８と上ステージ２上面との間にオイル回り込み、これが原因で、スライドガラス標本８が上ステージ２上面の精度のよい平面に張り付いて動きづらくなることがある。
【０００７】
この対策として、特開平１１−６９６４号公報には、標本を載せる試料台に網目状部を設け、標本の試料台への吸着を防止するようにしたものが開示されている。
【０００８】
【発明が解決しようとする課題】
ところが、Ｘ方向の移動の際には、標本とステージ上面が摺動しながら移動するため、ステージ上面と標本の摺動のスムーズさについても、停止精度に与える影響は大きい。従って、上述したような吸着防止のため接触面積を減らした溝付きステージを採用したものでは、標本がＸ方向に移動する際に、接触面積が変動して、標本とステージ上面との間の接触抵抗（摺動抵抗）が変化するため、標本のスムーズな動きを確保できず、Ｘハンドルの操作力量が変化し、ハンドルの回転フィーリングにムラを感じたり、標本を狙った位置に止めるのが難しく、標本の位置決めを精度が低下するという問題があった。
【０００９】
本発明は上記事情に鑑みてなされたもので、標本のスムーズな動きを確保でき、標本の位置決めを精度よく行うことができる顕微鏡ステージを提供することを目的とする。
【００１０】
【課題を解決するための手段】
請求項１記載の発明は、ステージ上面で一方向に標本を摺動可能に移動させるとともに、前記摺動方向と直交する方向に前記標本を位置決めするクレンメルを有する顕微鏡ステージにおいて、前記ステージ上面に観察光軸に対応して形成された穴部と、前記穴部を横切り前記標本の摺動方向に沿って形成された標本載置部と  を具備し、前記標本載置部は、前記標本が前記クレンメルに位置決めされた状態で、前記摺動方向に対して直交する方向の前記標本の両端部を保持する、前記ステージ上面と同一高さを有する面と、前記標本の両端部を保持する面の間に前記標本の摺動方向に沿って形成された前記標本の幅寸法より小さな幅寸法を有する溝部とを備えたことを特徴としている。
【００１１】
請求項２記載の発明は、請求項１記載の発明において、前記標本載置部は、前記摺動方向と直交する方向に、並列して２つ設けられることを特徴としている。
【００１２】
請求項３の発明は、請求項１または２記載の発明において、前記溝部が横切る前記穴部の周縁に沿って前記上ステージの上面と面一の高さを有する周壁を形成したことを特徴としている。
【００１３】
この結果、本発明によれば、標本または標本保持具の上ステージ上面への接触面を最小限にできるとともに、標本または標本保持具と上ステージとの間にオイルなどの液体が回り込むことがあっても、溝部の存在により、標本または標本保持具が上ステージ上面に張り付く力（吸着力）を小さくできる。
【００１４】
また、標本または標本保持具が移動する方向に沿って一方向に溝部が形成されているので、標本または標本保持具の移動に対してほぼ一定の接触抵抗を得ることができる。
【００１５】
さらに、上ステージの上面と面一の高さを有する周壁の存在により、標本または標本保持具を上ステージへ載置の際に傾きなどを生じることなくなり、また、検鏡中に上ステージ上面に液体が回り込むことがあっても周壁により、穴部にに達する液体の流れを阻止できる。
【００１６】
【発明の実施の形態】
以下、本発明の実施の形態を図面に従い説明する。
【００１７】
（第１の実施の形態）
図１は、本発明を適用した顕微鏡ステージの概略構成を示す図で、図４と同一部分には、同符号を付している。
【００１８】
この場合、図示しない顕微鏡本体に取付けられる下ステージ１の両側面にボールやコロなどを用いたガイド機構を介してＹ方向に直線往復移動可能に上ステージ２が設けられている。この上ステージ２は、図２に示すように顕微鏡本体の観察光軸に対応する位置に、上ステージ２の移動方向（Ｙ方向）に沿って長穴２ａが形成されている。また、上ステージ２の上面には、長穴２ａと直交する方向、つまり、クレンメル４の移動方向（Ｘ方向）に沿って長穴２ａを横切るように断面コ字状の２本の溝部９ａ、９ｂが平行に形成されている。これら溝部９ａ、９ｂは、スライドガラス標本８の幅寸法Ｗ２に比べて僅かに小さな幅寸法Ｗ１を有するもので、これら溝部９ａ、９ｂに沿ってスライドガラス標本８が載置された状態で、スライドガラス標本８の長手方向の両側縁のみが上ステージ２の上面に接触するようにしている。
【００１９】
なお、上述の構成では、上ステージ２の上面に２本の溝部９ａ、９ｂを形成しているが、これはクレンメル４が２枚のスライドガラス標本８を同時に保持可能にするためである。
【００２０】
このような構成において、図示例のように、上ステージ２上面の溝部９ａに沿ってスライドガラス標本８を載置する。この場合、スライドガラス標本８は、溝部９ａに沿って載置された状態で、スライドガラス標本８の長手方向の両側縁のみが上ステージ２の上面に接触されている。また、スライドガラス標本８は、クレンメル保持部材３に固定保持されたクレンメル４により長手方向の両端を挟持される。
【００２１】
この状態で、標本観察にともなうステージ移動は、Ｙハンドル７の回転操作により下ステージ１に対して上ステージ２全体をＹ方向に移動させ、また、Ｘハンドル６の回転操作により、上ステージ２に対してガイド部材とともにクレンメル保持部材３をＸ方向に移動させてスライドガラス標本８を上ステージ２上面を摺動させつつＸ方向に移動させ、これらＸＹ方向の動きにより、顕微鏡本体に対するスライドガラス標本８の位置決めが行われる。
【００２２】
従って、このようにすれば、クレンメル４により挟持されるスライドガラス標本８は、上ステージ２上面の溝部９ａに沿って載置されるとともに、その長手方向の両側縁のみが上ステージ２の上面に接触されて、これらの間の接触面を最小限にしているので、上ステージ２上面を摺動されるスライドガラス標本８の動きをスムーズに行うことができ、また、スライドガラス標本８上にオイルを充填したもので、検鏡中にスライドガラス標本８と上ステージ２上面との間にオイルが回り込むことがあっても、スライドガラス標本８の下面側の溝部９ａの存在により、スライドガラス標本８が上ステージ２上面に張り付くようなことがなくなり、さらに、スライドガラス標本８の移動方向（Ｘ方向）に沿って溝部９ａ、９ｂが形成されているので、スライドガラス標本８が移動しても摺動抵抗がほぼ一定に保たれるから、上ステージ２上面でのスライドガラス標本８にスムーズな動きが得ら、この結果、標本の狙った位置を所定の位置に止めるための停止精度が高められ、標本の位置決めを精度よく行うことができる。
【００２３】
（第２の実施の形態）
図３は、本発明の第２の実施の形態の概略構成を示すもので、図２と同一部分には、同符号を付している。
【００２４】
この場合、上ステージ２の上面に長穴２ａと直交する方向に形成される溝部９ａ、９ｂと長穴２ａ周縁の交差する部分には、長穴２ａ周縁に沿って上ステージ２上面と面一の高さを有する周壁２ｂが形成されている。
【００２５】
このようにすれば、上ステージ２上面の溝部９ａに沿って載置されるスライドガラス標本８の長手方向の両側縁が上ステージ２の上面に接触されるとともに、中間部分も長穴２ａ周縁に形成された上ステージ２の上面と面一の高さを有する周壁２ｂに接触されるので、上ステージ２上への載置の際に傾きなどを生じることなく、安定して支持することができ、また、検鏡中にスライドガラス標本８と上ステージ２上面との間にオイル回り込むことがあっても溝部９ａを伝わって長穴２ａに達するオイルの流れを周壁２ｂにより阻止することができるので、オイルの落下を防止することもできる。その他の効果は、第１の実施の形態と同様である。
【００２６】
なお、上述した実施の形態では、上ステージ２の上面に断面コ字状の２本の溝部９ａ、９ｂを形成した例を述べたが、これら溝部９ａ、９ｂは、いずれか一方の１本でもよい。また、これら溝部に代わって断面が波状、三角形状などの幅の狭い溝部を上ステージ２上面の長穴２ａと直交する方向に複数本平行に並べて形成するようにしてもよい。
【００２７】
【発明の効果】
以上述べたように本発明によれば、上ステージ上面での標本のスムーズな動きを確保でき、標本の位置決めを精度よく行うことができる顕微鏡ステージを提供できる。
【図面の簡単な説明】
【図１】本発明の第１の実施の形態の概略構成を示す図。
【図２】第１の実施の形態に適用される上ステージを示す平面図。
【図３】本発明の第２の実施の形態に適用される上ステージを示す平面図。
【図４】従来の顕微鏡ステージの概略構成を示す図。
【符号の説明】
１…下ステージ
２…上ステージ
２ａ…長穴
２ｂ…周壁
３…クレンメル保持部材
４…クレンメル
５…ＸＹハンドル
６…Ｘハンドル
７…Ｙハンドル
８…スライドガラス標本
９ａ．９ｂ…溝部
【図１】
0003979760.tif 000002
【図２】
0003979760.tif 000003
【図３】
0003979760.tif 000004
【図４】
0003979760.tif 000005